(57)【特許請求の範囲】
【請求項１】
携帯無線電話のような通信を配信しているネットワークを介して半二重コールに参加するように構成された携帯無線電話のような機能が可能なユーザー装置であって、該ネットワークは、常に通話または送信パーティの装置から聴取または受信パーティの装置への音声通信の送信が可能であるが、該通話パーティの装置が該受信パーティの装置に音声を送信している間は、該受信パーティの装置から該通話パーティの装置への音声通信の同時送信が不可能であり、
該ユーザー装置が、該ネットワークから、該ユーザー装置に提供される各会話グループに対するそれぞれの提供型会話グループ識別子を含む少なくとも１つの提供型会話グループ識別子のユーザー装置に特有のセットを得るように構成され、
該ユーザー装置が、該ユーザー装置によってアクセスするためのデータを保存するメモリを備え、該メモリは、該メモリに保存されたデータ構造を備え、該データ構造は、該識別子を含むメッセージであり、
該ユーザー装置が、該識別子に関連する情報を該ユーザー装置のユーザーに利用可能にするように構成されている、ユーザー装置。
【請求項２】
前記ユーザー装置が、無線装置である、請求項１に記載のユーザー装置。
【請求項３】
メッセージ生成および処理機能を備えた請求項１または請求項２に記載のユーザー装置であって、
該ユーザー装置に提供された各会話グループのためのそれぞれの前記提供型会話グループ識別子を要求するために、前記ネットワークに第１のメッセージを送信するように構成され、
該提供型会話グループ識別子を含む該ネットワークから、少なくとも第２のメッセージを受信するように構成されている、ユーザー装置。
【請求項４】
前記第１および第２のメッセージが、ネットワークレイヤーメッセージである、請求項３に記載のユーザー装置。
【請求項５】
前記装置が、電源を投入したときに自動的に前記第１のメッセージを送信するように構成された、請求項３または請求項４に記載のユーザー装置。
【請求項６】
場合により提供され得る複数の会話グループのそれぞれに参加しようと試みてそれぞれのメッセージを送信し、どの会話グループが参加に成功したかの記録を保持することによって、各提供型会話グループ識別子を前記ネットワークから得るように構成されている、請求項１〜５のいずれか一項に記載のユーザー装置。
【請求項７】
前記データ構造が、登録許可メッセージを含む、請求項１に記載のユーザー装置。
【請求項８】
携帯無線電話のような機能が可能なユーザー装置に携帯無線電話のような通信サービスを提供するように構成されたネットワークを備えたシステムであって、該ネットワークは、常に通話または送信パーティの装置から聴取または受信パーティの装置への音声通信の送信が可能であるが、該通話パーティの装置が該受信パーティの装置に音声を送信している間は、該受信パーティの装置から該通話パーティの装置への音声通信の同時送信が不可能であり、該ネットワークは、会話グループ識別子を該ユーザー装置に提供するように構成され、
該ユーザー装置が、該ネットワークから、該ユーザー装置に提供される各会話グループに対するそれぞれの提供型会話グループ識別子を含む少なくとも１つの提供型会話グループ識別子のユーザー装置に特有のセットを得るように構成され、
該ユーザー装置が、該ユーザー装置によってアクセスするためのデータを保存するメモリを備え、該メモリは、該メモリに保存されたデータ構造を備え、該データ構造は、該識別子を含むメッセージであり、
該ユーザー装置が、該識別子に関連する情報を該ユーザー装置のユーザーに利用可能にするように構成されている、システム。
【請求項９】
携帯無線電話のような機能が可能な少なくとも１つのユーザー装置をさらに備える、請求項８に記載のシステム。
【請求項１０】
前記ネットワークが、前記ユーザー装置からの要求に応答してそれぞれの前記提供型会話グループ識別子を該ユーザー装置の各々に提供する、請求項８または請求項９に記載のシステム。
【請求項１１】
前記ユーザー装置の各々が、該ユーザー装置に提供された各会話グループのためのそれぞれの前記提供型会話グループ識別子を要求するために前記ネットワークに第１のメッセージを送信するように構成され、かつ該提供型会話グループ識別子を含む該ネットワークから、少なくとも第２のメッセージを受信するように構成されているメッセージの生成および処理機能を備える、請求項１０に記載のシステム。
【請求項１２】
前記ユーザー装置が、無線装置である、請求項８〜１１のいずれか一項に記載のシステム。
【請求項１３】
前記ユーザー装置に提供された各会話グループのためのそれぞれの前記提供型会話グループ識別子を要求している特定のユーザー装置から、第１のメッセージを受信するように構成され、かつ該提供型会話グループ識別子を含む少なくとも第２のメッセージを送信するように構成されているメッセージの生成および処理機能を備える、請求項８〜１２のいずれか一項に記載のシステム。
【請求項１４】
携帯無線電話のような通信を配信しているネットワークを介して半二重コールに参加するように構成された携帯無線電話のような機能が可能なユーザー装置において会話グループを発見する方法であって、該ネットワークは、常に通話または送信パーティの装置から聴取または受信パーティの装置への音声通信の送信が可能であるが、該通話パーティの装置が該受信パーティの装置に音声を送信している間は、該受信パーティの装置から該通話パーティの装置への音声通信の同時送信が不可能であり、該方法は、
該ネットワークが該ユーザー装置に会話グループ識別子を提供するステップと、
該ユーザー装置に提供された各会話グループのそれぞれの提供型会話グループ識別子を含む少なくとも１つの提供型会話グループ識別子のユーザー装置に特有のセットのために、該ユーザー装置から該ネットワークに要求を送信するステップと、
該ユーザー装置において、該それぞれの提供型会話グループ識別子を含むメッセージを含む該ネットワークからの応答を受信するステップと、
該ユーザー装置によってアクセスするためのデータをメモリに保存するステップであって、該メモリは、該メモリに保存されたデータ構造を備え、該データ構造は、該それぞれの提供型会話グループ識別子を含むメッセージである、ステップと、
該ユーザー装置が、それぞれの該提供型会話グループ識別子を該ユーザー装置のユーザーに利用可能とするステップと
を包含する、方法。
【請求項１５】
前記ユーザー装置が無線装置である、請求項１４に記載の方法。
【請求項１６】
前記要求および応答が、ネットワークレイヤーメッセージを用いて送信される、請求項１４または請求項１５に記載の方法。
【請求項１７】
前記要求が登録要求であり、前記応答が登録許可メッセージを含む、請求項１４〜１６のいずれか一項に記載の方法。
【請求項１８】
携帯無線電話のような通信を配信しているネットワークを介して半二重コールに参加するように構成された携帯無線電話のような機能が可能なユーザー装置において提供型会話グループを発見するためのプログラムコード手段を備えた機械読取り可能な媒体であって、該ネットワークは、常に通話または送信パーティの装置から聴取または受信パーティの装置への音声通信の送信が可能であるが、該通話パーティの装置が該受信パーティの装置に音声を送信している間は、該受信パーティの装置から該通話パーティの装置への音声通信の同時送信が不可能であり、該コード手段は、請求項１４〜１７のいずれか一項に記載の方法を実行するために、請求項１〜７のいずれか一項に記載の装置のプロセッサにおいて実行可能である、機械読取り可能な媒体。
【発明の詳細な説明】
【技術分野】
【０００１】
本発明は、無線通信システムに関し、より詳しくは、ユーザー装置に対する提供型会話グループ識別子の情報を提供することに関する。
【背景技術】
【０００２】
グループコールのディスパッチサービスを提供する無線通信システムでは、ユーザー装置が、アクティブセッションに加わることが可能な複数の会話グループを有し得る。ユーザー装置が加わることを許可された特定の所定の会話グループは、ユーザー装置の提供された会話グループとして既知である。各会話グループは、会話グループ識別子、またはしばしばインデックスという形をとる会話グループＩＤによって識別される。ユーザー装置を使用するユーザーが会話グループに加わるために、そのユーザーは通常、ユーザーが加わることを望む提供型会話グループの特定の会話グループ識別子を入力しなければならない。
【０００３】
グループコールディスパッチサービスを提供しているシステムの一例には、ＭｏｔｏｒｏｌａＴＭのｉＤＥＮＴＭがあり、これはｐｕｓｈ−ｔｏ−ｔａｌｋＴＭ（ＰＴＴＴＭ）などの携帯無線電話のような機能を含むディスパッチサービスを提供する。本願明細書の場合、携帯無線電話機能および半二重通信機能は、常に通話または送信パーティの装置から聴取または受信パーティの装置への音声通信の送信が可能であるが、通話パーティの装置が受信パーティの装置に音声を送信している間は、受信パーティの装置から通話パーティの装置への音声通信の同時送信が不可能である。
【発明の開示】
【課題を解決するための手段】
【０００４】
（発明の概要）
本発明は、ユーザー装置に提供される会話グループリストがユーザーに提供される、ディスパッチまたは同様のネットワークにおける提供型会話グループ識別子の発見のための方法、システム、および装置を提供する。実施態様によっては、情報を提供しているネットワークからの応答を生じさせるために、ユーザー装置から送信される新しい要求メッセージがインプリメントされるものがある。他の実施態様では、情報の提供が、特定の時間にネットワークからユーザー装置に自動的に送信される新しいメッセージによって提供される。さらに他の実施態様では、モバイルユニットは、どのグループがそこに提供されているのかをテストするために、すべてのグループへの参加を試みる。
【０００５】
広範な一局面によれば、本発明は、ディスパッチネットワークを介してディスパッチコールに参加するように適合された携帯無線電話のような機能が可能なユーザー装置を提供し、ユーザー装置は、ユーザー装置に提供された各会話グループに対して前記ディスパッチネットワークからそれぞれの提供型会話グループ識別子を得るように、かつ、ユーザー装置のユーザーが、提供型会話グループ識別子に関連する情報を利用できるようにさらに適合されている。
【０００６】
別の広範な一局面によれば、本発明は、携帯無線電話のような機能が可能なユーザー装置にディスパッチサービスを提供するように適合されたディスパッチネットワークを提供し、ディスパッチネットワークは、そのユーザー装置に提供された各会話グループのためのそれぞれの提供型会話グループ識別子を各ユーザー装置に提供するように適合されている。
【０００７】
別の広範な一局面によれば、本発明は、要求をディスパッチネットワークに送信する携帯無線電話のような機能が可能なユーザー装置と、要求を受信し、そのユーザー装置に提供された各会話グループのためのそれぞれの提供型会話グループ識別子を含む応答によって応答するディスパッチネットワークと、応答を受信し、そのユーザー装置のユーザーが提供型会話グループ識別子を利用できるようにするユーザー装置とを備える、提供型会話グループの発見方法を提供する。
【０００８】
さらに別の広範な一局面によれば、本発明は、ディスパッチネットワークのユーザー装置によってアクセスするためのデータを保存するメモリを提供し、メモリに保存されたデータ構造を備え、データ構造が、そのユーザー装置に提供された各会話グループのための提供型会話グループ識別子を含むメッセージである。
【０００９】
本発明の他の局面および特徴は、添付の図面を参照して以下の本発明の具体的な実施態様の説明を精査することによって当業者に明らかになろう。
【００１０】
添付の図面を参照して、以下に本発明の好適な実施形態を説明する。
【発明を実施するための最良の形態】
【００１１】
ユーザー装置のユーザーには、通常ユーザー装置の提供型会話グループが通知され、サービス起動時（ユーザーが最初にサービスに加入した際に一度起動する）にインデックスの形で会話グループ識別子のリストが提供される。しかし、ユーザーは、そのユーザー装置の提供型会話グループおよびその識別子を知らないかまたは忘れる場合があり得る。
【００１２】
サービス起動後のそのユーザー装置の提供型会話グループ識別子を知らないかまたは忘れたユーザーは、キャリアカスタマコールセンターに連絡してそのリストを要求することができる。そのリストを得るための他の機会は、ユーザーがキャリアカスタマコールセンターに連絡して新たなグループに加入することによって提供され得る。
【００１３】
これによってフラストレーションおよび遅延が生じ得て、ユーザー装置に対する提供型会話グループの数が増加するに従って、次第に問題となる。
【００１４】
本発明の実施態様は、サービスの起動中または、彼または彼女がキャリアカスタマケアセンターに連絡したときに、ユーザーが単に彼／彼女の提供型会話グループのＩＤを知らされるにすぎないことに起因する不便さおよび／または効率の悪さを軽減することを試みる。後述の好適な実施態様によると、方法、システム、および新規のユーザー装置を用いることによって、提供型会話グループのＩＤのリストが自動的にユーザー装置のユーザーに提供され得るか、または提供型会話グループ識別子の識別がユーザー装置に提供され得る。本発明の好適な実施態様では、この情報は無線を通じて（ＯＴＡ）で取り出される。ＰＴＴＴＭネットワークおよび無線装置が、後述の例に用いられているが、本発明のさらに一般的な実施態様は、携帯無線電話のような通信が配信されるネットワークに関するあらゆるネットワークおよび無線装置のコンテキストに適用可能であり、ＰＴＴは一例にすぎない。これを配信することが可能なネットワークを「ディスパッチネットワーク」と称する。
【００１５】
図１を参照して、以下に、本発明の一実施態様による提供型会話グループ識別子の発見に関する通信システムの要素を説明する。
【００１６】
概して参照番号１００で示され、図１に示される通信システムは、ディスパッチネットワーク１１０および本発明の１つの可能な実施例に基づいて適合されたユーザー装置１７０を備える、変更されたｉＤＥＮＴＭシステムである。図１に示される実施例では、ユーザー装置１７０は、無線ユーザー装置である。ディスパッチネットワーク１１０は、ｐｕｓｈ−ｔｏ−ｔａｌｋ（ＰＴＴＴＭ）ディスパッチグループ呼出しサービスを含むディスパッチサービスを提供する。ディスパッチアプリケーションプロセッサ（ＤＡＰ）１３０は、ｉＤＥＮＴＭシステムにおける全体的な調整およびディスパッチサービスの制御を担う処理エンティティである。ＤＡＰ  １３０は、ディスパッチ呼出し識別およびサービスのためのデータのリポジトリであるディスパッチホームロケーションレジスタ（Ｄ−ＨＬＲ）１２０に接続される。いくつかの実施例では、Ｄ−ＨＬＲ  １２０は、ＤＡＰ  １３０に常駐する。ＤＡＰ  １３０は、順にデジタルアクセス相互接続スイッチ（ＤＡＣＳ）１５０に接続されるメトロパケットスイッチ（ＭＰＳ）１４０に接続される。ＤＡＣＳ  １５０は、拡張基地送受信局（ＥＢＴＳ）１６０に接続される。ＥＢＴＳ  １６０は、無線で（ＯＴＡ）、かつディスパッチネットワークにおいて、発信および着信半二重音声通信チャネル５および１５、専用制御チャネル（ＤＣＣＨ）１０、および他の既存のチャネル（図示せず）によってユーザー装置と通信を行う。後述するように、本発明の種々の実施態様では、提供型会話グループ識別子の発見と関連するメッセージの送受信のためにＤＣＣＨ  １０を用いる。ディスパッチコールの調整および制御を提供する過程で、ＤＡＰ  １３０は、種々のサービスおよび／またはユーザー装置の提供および選択された会話グループを含む識別に関する情報を常時Ｄ−ＨＬＲ  １２０から取り出し得る。ユーザー装置と通信する過程で、ＤＡＰ  １３０は、ユーザー装置１７０と情報のやりとりを行うためにＭＰＳ  １４０、ＤＡＣ  １５０、およびＥＢＴＳ  １６０を介してメッセージを送信する。
【００１７】
本発明の一実施例によれば、どちらも以下に詳述するが、ＤＡＰ  １３０はまた、ＴＩＬＵＭ（会話グループ識別リスト更新メッセージ）とともにＰＴＩＲ（提供型会話グループ識別子の要求）に応答するように適合されたメッセージの生成および処理１３２も有する。好適な実施態様では、メッセージの生成および処理１３２は、ＤＡＰ  １３０上にすでに実装されているソフトウェアへの変更として使用されるが、別個のソフトウェア、ハードウェア、ファームウェア、またはこれらのタイプの機能の組み合わせとして使用され得る。図１は、ディスパッチ通信サービスを提供するネットワーク機能の非常に具体的な例を示す。図１の配置は、特にｉＤＥＮＴＭのアプリケーションに適す。本願明細書に記述された会話グループ識別子の発見方法を行うために、他のネットワーク側の実施例が用いられ得ることは明らかに理解されるべきである。これらの他の実施例は、ｉＤＥＮＴＭまたは他のディスパッチサービスの実行に特有であり得る。ディスパッチサービスは、当然、図１には示されない追加的なシステム構成要素を含み得る。
【００１８】
図示した例では、ユーザー装置１７０は、限定するものではないが会話グループ識別子を含む情報を、ユーザーに提示するためのディスプレイ１７２または他のユーザーインターフェースと、限定するものではないが会話グループ識別子の更新に対する要求を含んでいるユーザーからの入力を受けるためのキーパッド１７６または他のユーザーインターフェースとを有する。また、ＰＴＩＲの生成と、要求に応じて受信されるＴＩＬＵＭの処理とを担うメッセージの生成および処理１７４も示されている。好適な実施態様では、メッセージの生成および処理１７４は、ユーザー装置上にすでに実装されているソフトウェアへの変更として実現されるが、別個のソフトウェア、ハードウェア、ファームウェア、またはこれらのタイプの機能の組み合わせとして実現され得る。最後に、会話グループ識別子のリストを保存するメモリ１７８が示されている。これは、ユーザー装置にすでに実装されたメモリの一部であることが望ましい。図１は、本発明の実施態様によって提供される会話グループ識別子の発見方法の実行が可能なユーザー装置に対する非常に具体的な実施例を示す。図１のコンポーネントの特定の配置は、単に一例であることは明らかに理解されるべきである。ユーザー装置は、当然、図１に示されない追加のコンポーネントを含み得る。
【００１９】
図２を参照して、ネットワーククエリをベースとした本発明の一実施態様による提供型会話グループ識別子の発見（ＰＴＩＤ）のためにユーザー装置が行うステップを説明する。
【００２０】
このネットワーククエリをベースとした実施態様では、通信システムは、クエリまたは要求に応じてユーザー装置に会話グループの識別子を提供する。この実施態様では、ユーザー装置がＰＴＩＤを開始するが、ユーザー装置およびネットワークがともにＰＴＩＤに加わるように適合されている。
【００２１】
ステップ２００において、ユーザー装置は、電源が投入され、ネットワークに登録される。例えば、システムがＩＤＥＮＴＭシステムである場合、これを行うための標準的な手順がある。ユーザーがユーザーの装置に提供された会話グループの識別子を忘れたか、または失ってしまった場合には、このユーザーは、限定するものではないが、メニューの選択、ボタンの押下、あるいはユーザー装置にユーザーがＰＴＩＤを開始することを希望していることを示すように適合された他の入力を含み得るユーザー装置のユーザーインターフェースから選択を行うことによってＰＴＩＤのプロセスを開始することができる。これは、ユーザー装置がユーザーインターフェースを経て発見を開始する入力を受信するステップ２１０で生ずる。ステップ２２０で、ユーザー装置は、例えばＰＴＩＲメッセージを送信することによって、提供型会話グループの無線での識別を要求する。ｉＤＥＮＴＭシステムでは、この要求は、例えばＤＡＰによって処理され得る。ユーザー装置は、下記に詳述する図３Ａに示されるフォーマット例に類似した形をとり得るデータグラムまたは要求メッセージを送信することによってこれを行う。図２の実施態様と関連するデータグラムは、要求メッセージがユーザー装置のすべての提供型会話グループをリストしている情報に対する要求である識別を含むことが好ましく、またネットワークが適切な情報を取り出すことを助力するためのユーザー装置の識別を含むことが好ましい。ユーザー装置が行う次のステップは、下記に詳述する図３Ｂに示されるフォーマット例に類似した形をとり得る、例えばＴＩＬＵＭなどのネットワークからの応答の受信である。好適な実施態様では、ステップ２３０で、ネットワークによってユーザー装置に送信されたメッセージは、特定のユーザー装置に提供された会話グループ識別子のリストを含む。ユーザー装置が提供型会話グループの識別を受信すると、ステップ２４０で、ユーザー装置は受信した会話グループ識別子の保存または表示し得る。好適な実施態様では、ユーザーは、情報を保存または表示するかどうか、またはその両方を選択できるようすることが可能であり得る。複数の識別子を表示し得る方法は多数あるが、好適な実施態様によれば、そのリストは、例えばＬＣＤディスプレイであり得る視覚ユーザーインターフェースに表示される。さらに一般的にいえば、提供型会話グループ識別子に関連する情報は、その装置のユーザーが利用できるようになる。例えば、さらに別の好適な実施態様によれば、ユーザー装置は、例えばユーザーまたはキャリアによって提供され得、しばしば数字を含み得る各会話グループ識別子と関連する名前を保存するために使用され得る、アドレス帳またはエイリアスリストを有する。この名前は、会話グループの機能またはメンバーを記述する、より理解しやすい用語であることが好ましい。会話グループ識別子の実例は、本発明の他の種々の実施態様に関連してさらに詳述される。
【００２２】
更なる実施態様では、ディスパッチネットワーク（限定するものではないが、例えば図１のディスパッチネットワーク）および特にユーザー装置（限定するものではないが、例えば図１に示されたユーザー装置）が、図２の流れ図のステップに示される機能をそれぞれサポートおよび実行するように適合される。
【００２３】
図３Ａを参照して、提供型会話グループ識別子の要求に使用され得るデータグラムの例を以下に説明する。特定の要求は、概して２０によって示される。メッセージは、何が要求されたのかをネットワークに本質的または明示的に示し、ユーザー識別子２２（例えば、ｉＤＥＮＴＭシステムのアーバンフリートメンバーＩＤ（ＵＦＭＩ））によって、提供型会話グループのリストを要求している特定のユーザー装置をネットワークへ通信する。本発明のいくつかの実施態様によれば、ＰＴＩＲ  ２０は、ｉＤＥＮＴＭシステムのような既存の通信システム自身の中で定義される新しいメッセージである。システム自身が修正される好適な実施態様では、ＰＴＩＲ  ２０のメッセージは、専用制御チャネル（ＤＣＣＨ）に適合した新しいレイヤー３メッセージとなり得る。
【００２４】
ＰＴＩＲメッセージは、実行時固有の制御、メッセージング、またはトラフィックチャネルを通じて送信され、配信および要求に対する応答を生じさせる。チャネルがユーザー装置特有のものである場合には、ネットワークがリクエストの受信によってチャネルから判断できるので、ユーザー識別子を含む必要はない。
【００２５】
図３Ｂを参照して、ＴＩＬＵＭに使用され得るデータグラムの一例を、概して３０で示す。メッセージ３０は、そのメッセージが何であるのかをユーザー装置に本質的または明示的に示し、ユーザー装置のすべての提供型会話グループ識別子３２のリストを含み、要求した情報をユーザー装置に提供する。例示した構造では、ＴＩＬＵＭ  ３０は、固定サイズを有する。これは、固定サイズの準備ができるまで、その構造にＮＵＬＬエントリ３５を埋め込むことによって達成される。固定サイズを使用する一実施態様では、ＴＩＬＵＭ  ３０に保存され得る値の数は、単一のユーザー装置に提供され得る会話グループの最大数に等しい。固定サイズのＴＩＬＵＭは、ＮＵＬＬエントリ３５に対して帯域幅を浪費する欠点を有するが、同時に、他の実施態様の可変長ＴＩＬＵＭに必要とされ得る処理を回避する。好適な実施態様では、ＴＩＬＵＭは、可変サイズであり、リストのエントリのサイズまたは数を示すためのフィールド（図示せず）を含み、全体的な構造がそのリストを含むのに十分な大きさである。図３Ｂに示されるものと同じリストを含む可変サイズのＴＩＬＵＭでは、図３ＢのＮＵＬＬのエントリ３５は含まれなくあり得て、またリストのサイズを示す情報が追加のフィールドに含まれ得る。提供型会話グループ識別子の有用な送信を生じさせるために用いられる特定の構造は、それが実装される特定のシステムの容量および構造自身のアイデンティティに依存する。本発明のいくつかの実施態様によれば、ＴＩＬＵＭ  ３０は、ｉＤＥＮＴＭシステムのような既存のシステムの中で定義される新しいメッセージである。システム自身が修正される好適な実施態様では、ｉＤＥＮＴＭシステムのＴＩＬＵＭ  ２０のメッセージは、専用制御チャネル（ＤＣＣＨ）に適合されたレイヤー３メッセージとなり得る。
【００２６】
ＴＩＬＵＭは、実行時固有の制御、メッセージング、またはトラフィックチャネルを通じて送信され、ユーザー装置によって要求される情報の配信および受信を生じさせる。
【００２７】
図４を参照して、本発明の別のネットワーククエリをベースとした実施態様による提供型会話グループ識別子の発見のためにディスパッチネットワークが行うステップを以下に説明する。この実施態様では、通信システムは、要求に応答してユーザー装置に会話グループの識別子を提供する。
【００２８】
この方法は、ネットワークが、ユーザー装置からの提供型会話グループの識別のための要求を無線によって受信する（すなわち、ネットワークがＰＴＩＲを受信する）ステップ２２３から始まる。ｉＤＥＮＴＭの実施では、例えば、これは受信およびＤＡＰに転送され得る。ステップ２２５では、ネットワークが、要求を生成したユーザー装置に対して提供型会話グループの識別を判断する。例えば、図１に示されるようなｉＤＥＮＴＭの実施では、この情報に対してＤ−ＨＬＲのクエリを行うＤＡＰを含み得る。ステップ２２７では、ネットワークは、会話グループ識別子のリスト更新メッセージをユーザー装置に無線で送信する。このメッセージは、例えば、ｉＤＥＮＴＭの実施においてＤＡＰによって生成され得る。
【００２９】
図３Ｃおよび図３Ｄを参照して、いくつかの実施態様において、会話グループ識別子の部分的なリストを含み得るＴＩＬＵＭ  ３０Ｂは、無線で送信される各メッセージのサイズを低減するために用いられることに留意されたい。ＴＩＬＵＭ  ３０Ｂは、固定数の提供型会話グループ識別子３２を含むことが可能なように配列される。この固定数は、好ましくは、いずれか１人のユーザーに提供された会話グループの最大数よりも少ないが、ユーザーごとに提供された会話グループの平均数よりも多い。したがって、この実施態様では、ＴＩＬＵＭ  ３０Ｂは、比較的小さな構造であり、固定数の会話グループ識別子３２のためのストレージを提供し、ＴＩＬＵＭ  ３０Ｂに含まれるものよりも多くの提供された会話グループをユーザーが有するかを示す、追加の「より多い表示子」（ｍｏｒｅ  ｉｎｄｉｃａｔｏｒ）フィールド３３を含む。同様に、このような実施態様におけるＰＴＩＲ  ２０Ｂはまた、追加のＴＩＬＵＭ  ３０Ｂにおける別セットの会話グループ識別子３２が要求されることをネットワークに示すための「より多い表示子」２３を含み得る。
【００３０】
ユーザー装置からＰＴＩＲ  ２０Ｂを受信した後に、ネットワークが「より多い識別子」３３を有するＴＩＬＵＭ  ３０Ｂを用いる、図４に示されたものと同様な方法に関して、このネットワークは、より多くの会話グループ識別子３２が提供されることを示す「より多い表示子」３３とともに、固定数の会話グループ識別子３２を含むＴＩＬＵＭ  ３０Ｂを生成する。
【００３１】
ＴＩＬＵＭ  ３０Ｂを用いるユーザー装置のための、図２に示されたものと同様な方法に関して、より多くの会話グループ識別子３２が提供されることをネットワークから受信したＴＩＬＵＭ  ３０Ｂの「より多い表示子」３３が示す場合、ユーザー装置はそのネットワークの別のＰＴＩＲ  ２０Ｂを形成する。
【００３２】
同様に、他の実施態様では、ネットワークが、「より多い表示子」３３を有する第１のＴＩＬＵＭ  ３０Ｂを送信した後のある一定の期間内にそれ以降のＴＩＬＵＭ  ３０Ｂを受信する場合、このネットワークは、次の固定数の会話グループ識別子３２のリストを含む、それぞれの以降のＴＩＬＵＭ  ３０Ｂを送信する。最後の会話グループ識別子３２を含んでいる最後のＴＩＬＵＭ  ３０Ｂは、それ以上ないことを示す値に設定される「より多い表示子」３３を有することになり、したがって、その時にはユーザー装置からネットワークへは以降のＰＴＩＲ  ２０Ｂは送信されない。
【００３３】
図５を参照して、本発明のネットワーク登録をベースとした実施態様による提供型会話グループ識別子の発見のためにユーザー装置が行うステップを以下に説明する。この実施態様では、通信システムは、ユーザー装置がネットワーク登録要求を送信するたびに、ユーザー装置に会話グループの識別子を提供する。
【００３４】
この方法は、ユーザー装置が電源を投入される、ステップ３００で始まる。ステップ３１０で、ユーザー装置は、無線によってネットワークへの登録を要求する。ステップ３２０で、ユーザー装置は、提供型会話グループ識別子を含む拡張登録許可メッセージ（または他の適切な登録受入れメッセージ）を受信する。提供型会話グループ識別子は、登録許可メッセージに添付され、従来の登録許可メッセージの一部が置き換えられないことが好ましい。このメッセージは、無線によって受信される。ステップ３３０で、ユーザー装置は、その装置のユーザーが使用するために、受信した会話グループ識別子３３０を保存および／または表示する。
【００３５】
図６を参照して、拡張登録許可メッセージのための本発明のさらなる実施例によるデータグラムの例を以下に説明する。
【００３６】
概して４０に示される拡張登録メッセージは、ユーザー装置路の通信の登録を容易にするためかつ登録が成功したことをユーザー装置において確認するための複数の種々の識別子および可変のネットワークを含む（図示せず）。それは、使用されるシステム内の特定の登録許可メッセージに対して通常の他のタイプのフィールドを含み得る。しかし、この実施態様のために、これらのタイプのフィールドに加えて、メッセージは、通常の登録許可メッセージには含まれていない提供型会話グループ識別子４６も含む。
【００３７】
図７を参照して、本発明の別のネットワーク登録をベースとした実施態様による会話グループ識別子の発見のためにネットワークが行うステップを以下に説明する。この実施態様では、通信システムは、ユーザー装置がネットワーク登録要求を送信するたびに、ユーザー装置に会話グループの識別子を提供する。
【００３８】
この方法は、ネットワークがユーザー装置から登録要求を無線で受信する、ステップ３１３から始まる。より一般的には、このステップでは全ての適切なメッセージが受信され得る。ｉＤＥＮＴＭシステムでは、このメッセージは、ＤＡＰに転送され得る。次いで、ステップ３１５で、ネットワークは、登録要求メッセージが受信されたユーザー装置のための提供型会話グループを判断する。例えば、ｉＤＥＮＴＭの実施では、これは、この情報に対してＤ−ＨＬＲのクエリを行うＤＡＰを含み得る。ステップ３１７で、ネットワークは、提供型会話グループ識別子を含む拡張登録許可メッセージを無線でユーザー装置に送信する。このメッセージは、そのネットワークがｉＤＥＮＴＭのネットワークである場合に、例えば、ＤＡＰによって生成され得る。
【００３９】
図８を参照して、本発明の別の実施態様による会話グループ識別子の発見のためにユーザー装置が行うステップを以下に説明する。この実施態様では、ユーザー装置は、様々な会話グループへの参加を試みることによって会話グループの識別子を判断し、会話グループ識別子によってその結果を保存する。この実施態様では、ネットワーク側に変更を行うことへの要件が何もない。この方法は、ユーザー装置において全面的に使用される。
【００４０】
この方法は、ユーザー装置が電源を投入され、ネットワークに登録される、ステップ４００で始まる。ステップ４１０で、ユーザー装置は、会話グループ識別子の発見の開始を要求する入力を受信する。この入力は、適切なインターフェースを経た装置のユーザーからであり得る。あるいは、その入力は、ステップ４００を行ったときに単に装置の電源を投入することであり得る。ステップ４２０で、ユーザー装置は、テストする最初の会話グループ識別子を選択する。ステップ４３０で、ユーザー装置は、会話グループ識別子によって識別された会話グループに加わるためにグループ参加要求メッセージを送信する。「グループ参加要求」メッセージは、ｉＤＥＮＴＭ規格に特有のメッセージである。特定の会話グループに加わるための他のいずれの適切なメッセージが、異なるシステムに代替的に用いられ得る。ステップ４４０で、ユーザー装置は、ユーザー装置に返信された登録許可メッセージの登録成功または失敗の指示から、グループ参加要求方法が成功または失敗したかどうかを判断する。ステップ４５０で、ユーザー装置は、特定の会話グループが提供型会話グループであるかどうかを識別するのに十分な情報を保存する。これは、例えば、各グループに対して、要求が成功または失敗したかどうかの指示を保存することを含み得る。あるいは、ユーザー装置は、成功した会話グループに対する会話グループ識別子を単に保存し得る。ステップ４６０で、ユーザー装置がテストに利用可能なすべての会話グループ識別子を評価していなければ（経路なし）、ステップ４７０で、ユーザー装置は、テストおよびステップ４３０での方法を継続するために次の会話グループ識別子を選択する。一方で、ステップ４６０においてすべての会話グループ識別子がテストされたと判断された場合、ステップ４８０で、ユーザー装置は、成功結果が達成された会話グループ識別子を表示および／または保存する。
【００４１】
図９を参照して、会話グループ識別子によるユーザー装置のグループ参加要求の失敗または成功を構成および保存するための本発明の他の実施態様による会話グループのテストメモリストアを以下に説明する。
【００４２】
図９の例では、テストメモリストアは、２つのカラム５０、５１を有して示される。カラム５０は、会話グループ識別子を含み、カラム５１は、対応する会話グループ識別子の結果を含む。図の例では、１〜２５５のラベル付けされた２５５個の可能な会話グループ識別子がある。結果５１は、成功のＳまたは失敗のＦのいずれかで示される。まだテストされていない会話グループには、ｎｕｌｌ表示が示される。図の例では、５２で示される会話グループ１、２、３はテストされており、会話グループ４はテスト５４に対する次の会話グループ識別子である。図９の構造は、特定の一例にすぎないと理解されたい。いずれの適切な情報を保存することができ、どの会話グループの結果が成功であるかの識別が可能になる。例えば、この表があらゆる可能な会話グループに対するエントリを含む場合、それが特定のメモリロケーションと同義であり得るので、会話グループ識別子に対するエントリを含む必要はない。
【００４３】
いくつかの実施態様では、図９のテストメモリストアに類似した可変サイズのテストメモリストア（図示せず）を用いる。可変サイズのテストメモリストアは、可変サイズ化された会話グループ識別子のリストであり、リストのサイズを示す値またはグループ参加要求が成功した会話グループ識別子に対応するリストのエントリ数を保存する追加のフィールドを含む。このような実施態様では、可変サイズのテストメモリストアは、ＮＵＬＬポインタまたは失敗した会話グループ識別子を含まない。
【００４４】
いくつかの実施態様では、図９のテストメモリストアは、ユーザーが提供型会話グループＩＤのためにそれ以降の要求を開始することで、常時更新またはリフレッシュされ得る。
【００４５】
さらに別の実施態様では、特定のＰＴＩＲは、ユーザー装置によって生成されない。むしろ、ネットワーク側で、ユーザー装置をネットワークに接続するたびに、ネットワークは自発的にＴＩＬＵＭを生成させてユーザー装置にこれを送信する。他の実施態様では、提供された会話グループのリストに何らかの変更があった場合、ＴＩＬＵＭまたは追加のＴＩＬＵＭが生成される。
【００４６】
他の実施態様では、本方法およびシステムは、種々の会話グループによって無線セッションに参加することが可能で、それに提供された複数の会話グループを有する有線の装置に周辺サポートを提供するように適合される。このような有線の装置は、有線の装置が無線ネットワーク内に存在しないが、あたかも存在するように、ネットワークのインターワーキング機能を介して参加し、無線装置のようなグループコールに参加する。したがって、これらの実施態様によれば、有線のユーザー装置には、その装置に対して提供された会話グループのリストが提供される。これらの実施態様に対して、会話グループの発見は、上述の態様に類似した態様で生じる。したがって、有線のユーザー装置は、それに提供された会話グループのインデックスを要求し得るか、または配信され得る。
【００４７】
上記教示に鑑み、本発明については多数の修正および改変が可能である。したがって、添付の特許請求の範囲内で、本発明が本願明細書に具体的に記述された以外のように実施され得ることは、理解されたい。
【図面の簡単な説明】
【００４８】
【図１】本発明の一実施態様による提供型会話グループ識別子の発見に関する通信システムの要素を示すブロック図である。
【図２】ネットワーククエリをベースとした本発明の一実施態様による提供型会話グループ識別子の発見のためにユーザー装置が行うステップを示す流れ図である。
【図３Ａ】提供型会話グループ識別子要求のための本発明の別の実施態様によるデータグラムのブロック図を示す。
【図３Ｂ】会話グループ識別子のリストの更新メッセージのための本発明の更なる実施態様によるデータグラムのブロック図を示す。
【図３Ｃ】提供型会話グループ識別子の要求のための本発明の他の実施態様によるデータグラムのブロック図を示す。
【図３Ｄ】会話グループ識別子のリストの更新メッセージのための本発明の更なる実施態様によるデータグラムのブロック図を示す。
【図４】別のネットワーククエリをベースとした本発明の実施態様による提供型会話グループ識別子の発見のためにネットワークが行うステップを示す流れ図である。
【図５】ネットワーク登録をベースとした本発明の実施態様による提供型会話グループ識別子の発見のためにユーザー装置が行うステップを示す流れ図である。
【図６】拡張登録許可メッセージのための本発明の更なる実施態様によるデータグラムを示すブロック図である。
【図７】別のネットワーク登録をベースとした本発明の実施態様による会話グループ識別子の発見ためにネットワークが行うステップを示す流れ図である。
【図８】ハンドヘルドをベースとした本発明の一実施態様による会話グループ識別子の発見のためにユーザー装置が行うステップを示す流れ図である。
【図９】会話グループ識別子によるユーザー装置のグループ参加要求の失敗または成功を構成および保存するための本発明の別の実施態様による会話グループのテストメモリストアを示すブロック図である。
【図１】
0004414432.tif 000002
【図２】
0004414432.tif 000003
【図３Ａ】
0004414432.tif 000004
【図３Ｂ】
0004414432.tif 000005
【図３Ｃ】
0004414432.tif 000006
【図３Ｄ】
0004414432.tif 000007
【図４】
0004414432.tif 000008
【図５】
0004414432.tif 000009
【図６】
0004414432.tif 000010
【図７】
0004414432.tif 000011
【図８】
0004414432.tif 000012
【図９】
0004414432.tif 000013